(57)【要約】【課題】製造工数を少なく、製造容易で、コイル層間の浮遊容量を減少する。【解決手段】少なくとも第１層と第２層が積層され、前記第１層と第２層の絶縁シート上の導電パターンを接続してコモンモードチョークコイルを構成する積層型コモンモードチョークコイルにおいて、前記第２層は、複数の区分絶縁シート３ａ〜３ｃにより構成され、前記区分絶縁シート３ａの側壁３１ａ、３１ｂには、前記第１層上の導電パターン２ａ、２ｂと前記第２層上の導電パターン４ａ、４ｂとを接続する導電パターンが設けられている。【選択図】  図１
2004179396.tif 000002
【特許請求の範囲】
【請求項１】
少なくとも第１層と第２層が積層され、前記第１層と第２層の絶縁シート上の導電パターンを接続してコモンモードチョークコイルを構成する積層型コモンモードチョークコイルにおいて、
前記第２層は、複数の区分絶縁シートにより構成され、
前記区分絶縁シートの側壁には、前記第１層上の導電パターンと前記第２層上の導電パターンとを接続する導電パターンが設けられていることを特徴とする積層型コモンモードチョークコイル。
【請求項２】
前記第２層に積層され、表面に前記第２層における絶縁シート上の導電パターンと接続してコモンモードチョークコイルを構成する導電パターンを有する第３層の絶縁シートを備え、
前記第３層は、複数の区分絶縁シートにより構成され、
前記区分絶縁シートの側壁には、前記第２層上の導電パターンと前記第３層上の導電パターンとを接続する導電パターンが設けられていることを特徴とする請求項１に記載の積層型コモンモードチョークコイル。
【請求項３】
少なくとも第１層と第２層が積層され、前記第１層と第２層の絶縁シート上の導電パターンを接続してコモンモードチョークコイルを構成する積層型コモンモードチョークコイルであって、前記第２層は、複数の区分絶縁シートにより構成され、前記区分絶縁シートの側壁には、前記第１層上の導電パターンと前記第２層上の導電パターンとを接続する導電パターンが設けられているコイル部と、
このコイル部の上下に積層されるフェライトシートとを具備することを特徴とする積層型コモンモードチョークコイル。
【請求項４】
少なくとも第１層と第２層が積層され、前記第１層と第２層の絶縁シート上の導電パターンを接続してコモンモードチョークコイルを構成する積層型コモンモードチョークコイルであって、前記第２層は、複数の区分絶縁シートにより構成され、前記区分絶縁シートの側壁には、前記第１層上の導電パターンと前記第２層上の導電パターンとを接続する導電パターンが設けられている第１のコイル部と、
前記第１のコイル部と同じ構成を有する第２のコイル部と、
前記第１コイル部の上部、前記第２のコイル部の下部及び前記第１コイル部と前記第２のコイル部の間に積層されるフェライトシートとを具備することを特徴とする積層型コモンモードチョークコイル。
【請求項５】
前記第１コイル部と前記第２のコイル部の間に積層されるフェライトシートの透磁率は、前記第１コイル部の上部、前記第２のコイル部の下部に積層されるフェライトシートの透磁率よりも小さくされていることを特徴とする請求項４に記載の積層型コモンモードチョークコ
イル。
【請求項６】
表面にコモンモードチョークコイルの一部となる導電パターンが設けられた第１層の絶縁シートに対し、この第１層の絶縁シートの一部を覆う第１の区分絶縁シートを積層し、
導電ペーストを用いて、前記第１層上の導電パターンから前記第１の区分絶縁シートの側壁を介して前記区分絶縁シートの表面に導電パターンを形成し、
前記第１の区分絶縁シートにより覆われない前記第１層の表面部分を覆う第２の区分絶縁シートを積層し、
この第２の区分絶縁シート上に所要の導電パターンを導電ペーストにより形成して第２層を積層することを特徴とする積層型コモンモードチョークコイルの製造方法。
【請求項７】
前記第２層の絶縁シートに対し、この第２層の絶縁シートの一部を覆う第１の区分絶縁シートを積層し、
導電ペーストを用いて、前記第２層上の導電パターンから前記第１の区分絶縁シートの側壁を介して前記区分絶縁シートの表面に導電パターンを形成し、
前記第１の区分絶縁シートにより覆われない前記第２層の表面部分を覆う第２の区分絶縁シートを積層し、
この第２の区分絶縁シート上に所要の導電パターンを導電ペーストにより形成して第３層を積層することを特徴とする請求項６に記載の積層型コモンモードチョークコイルの製造方法。
【発明の詳細な説明】
【０００１】
【発明の属する技術分野】
この発明は、積層型コモンモードチョークコイル及びその製造方法に関するものである。
【０００２】
【従来の技術】
従来の積層型コモンモードチョークコイルは、積層した複数の絶縁シート上に設けられた導電パターン間をバイアホールにより接続したコイルを１対備えるものである（例えば、特許文献１参照）。
【０００３】
【特許文献１】
特開平１１−２７３９５３号公報
【０００４】
【発明が解決しようとする課題】
しかしながら、上記のバイアホールにより導電パターン間を接続するタイプの積層型コモンモードチョークコイルでは、コイル層間にコモンモードの性能を抑制する浮遊容量が生じることになった。また、ホールを形成する工程が必要であり製造の工数が増加する問題点も生じる上に、ホールを構成する導体の充填は熟練を要する作業であり、製造が難しいという問題があった。
【０００５】
本発明は上記の問題点を解決せんとしてなされたもので、その目的は製造の工数を少なくでき、しかも製造が容易であり、コイル層間の浮遊容量を少なくすることが可能な積層型コモンモードチョークコイル及びその製造方法を提供することである。
【０００６】
【課題を解決するための手段】
本発明に係る積層型コモンモードチョークコイルは、少なくとも第１層と第２層が積層され、前記第１層と第２層の絶縁シート上の導電パターンを接続してコモンモードチョークコイルを構成する積層型コモンモードチョークコイルにおいて、前記第２層は、複数の区分絶縁シートにより構成され、前記区分絶縁シートの側壁には、前記第１層上の導電パターンと前記第２層上の導電パターンとを接続する導電パターンが設けられていることを特徴とする。
【０００７】
本発明に係る積層型コモンモードチョークコイルは、前記第２層に積層され、表面に前記第２層における絶縁シート上の導電パターンと接続してコモンモードチョークコイルを構成する導電パターンを有する第３層の絶縁シートを備え、前記第３層は、複数の区分絶縁シートにより構成され、前記区分絶縁シートの側壁には、前記第２層上の導電パターンと前記第３層上の導電パターンとを接続する導電パターンが設けられていることを特徴とする。
【０００８】
本発明に係る積層型コモンモードチョークコイルは、少なくとも第１層と第２層が積層され、前記第１層と第２層の絶縁シート上の導電パターンを接続してコモンモードチョークコイルを構成する積層型コモンモードチョークコイルであって、前記第２層は、複数の区分絶縁シートにより構成され、前記区分絶縁シートの側壁には、前記第１層上の導電パターンと前記第２層上の導電パターンとを接続する導電パターンが設けられているコイル部と、このコイル部の上下に積層されるフェライトシートとを具備することを特徴とする。
【０００９】
本発明に係る積層型コモンモードチョークコイルは、少なくとも第１層と第２層が積層され、前記第１層と第２層の絶縁シート上の導電パターンを接続してコモンモードチョークコイルを構成する積層型コモンモードチョークコイルであって、前記第２層は、複数の区分絶縁シートにより構成され、前記区分絶縁シートの側壁には、前記第１層上の導電パターンと前記第２層上の導電パターンとを接続する導電パターンが設けられている第１のコイル部と、前記第１のコイル部と同じ構成を有する第２のコイル部と、前記第１コイル部の上部、前記第２のコイル部の下部及び前記第１コイル部と前記第２のコイル部の間に積層されるフェライトシートとを具備することを特徴とする。
【００１０】
本発明に係る積層型コモンモードチョークコイルは、前記第１コイル部と前記第２のコイル部の間に積層されるフェライトシートの透磁率は、前記第１コイル部の上部、前記第２のコイル部の下部に積層されるフェライトシートの透磁率よりも小さくされていることを特徴とする。
【００１１】
本発明に係る積層型コモンモードチョークコイルの製造方法は、表面にコモンモードチョークコイルの一部となる導電パターンが設けられた第１層の絶縁シートに対し、この第１層の絶縁シートの一部を覆う第１の区分絶縁シートを積層し、導電ペーストを用いて、前記第１層上の導電パターンから前記第１の区分絶縁シートの側壁を介して前記区分絶縁シートの表面に導電パターンを形成し、前記第１の区分絶縁シートにより覆われない前記第１層の表面部分を覆う第２の区分絶縁シートを積層し、この第２の区分絶縁シート上に所要の導電パターンを導電ペーストにより形成して第２層を積層することを特徴とする。
【００１２】
本発明に係る積層型コモンモードチョークコイルの製造方法は、前記第２層の絶縁シートに対し、この第２層の絶縁シートの一部を覆う第１の区分絶縁シートを積層し、導電ペーストを用いて、前記第２層上の導電パターンから前記第１の区分絶縁シートの側壁を介して前記区分絶縁シートの表面に導電パターンを形成し、前記第１の区分絶縁シートにより覆われない前記第２層の表面部分を覆う第２の区分絶縁シートを積層し、この第２の区分絶縁シート上に所要の導電パターンを導電ペーストにより形成して第３層を積層することを特徴とする。
【００１３】
【発明の実施の形態】
以下添付図面を参照して、本発明に係る積層型コモンモードチョークコイル及びその製造方法を説明する。各図において同一の構成要素には、同一の符号を付して重複する説明を省略する。図１には、本発明の実施例に係る積層型コモンモードチョークコイルの製造工程が示されている。同図における（１）〜（４）が１ターンのコイルを有する積層型コモンモードチョークコイルの製造工程を示しており、（５）〜（９）が第２ターン目のコイルを構成する製造工程を示している。
【００１４】
第１層の絶縁シートであるフェライトシート１の表面には、コモンモードチョークコイルにおける１対のコイルの一部を構成する導電パターン２ａ、２ｂが設けられている（図１（１））。この絶縁シートであるフェライトシート１に、その一部を覆うフェライトペーストによる第１の区分絶縁シート３ａを積層する（図１（２））。
【００１５】
導電ペーストであるＡｇペーストを用いて、第１層上の導電パターン２ａ、２ｂから第１の区分絶縁シート３ａの側壁３１ａ、３１ｂを介して第１の区分絶縁シート３ａの表面に導電パターン４ａ、４ｂを形成する（図１（３））。
【００１６】
第１の区分絶縁シート３ａにより覆われない第１層の表面部分を覆う第２の区分絶縁シート３ｂ、３ｃをフェライトペーストを用いて第１層に積層する（図１（４））。この第２の区分絶縁シート上３ｂ、３ｃに所要の導電パターン４１ａ、４１ｂを導電ペーストであるＡｇペーストにより形成して第２層までの積層を完成する（図１（５））。このように第２層は、複数の区分絶縁シート３ａ、３ｂ、３ｃにより構成されている。
【００１７】
更に、第２層の絶縁シート（区分絶縁シート３ａ、３ｂ、３ｃ）に対し、この第２層の絶縁シートの一部を覆う第１の区分絶縁シート３ａを積層する（図１（６））。導電ペーストであるＡｇペーストを用いて、第２層上の導電パターン４１ａ、４１ｂから第１の区分絶縁シート３ａの側壁３１ａ、３１ｂを介して当該第１の区分絶縁シート３ａの表面に、導電パターン４ａ、４ｂを形成する（図１（７））。
【００１８】
第１の区分絶縁シート３ａにより覆われない第２層の表面部分を覆う第２の区分絶縁シート３ｂ、３ｃを第２層上に積層する（図１（８））。この第２の区分絶縁シート３ｂ、３ｃ上に所要の導電パターン４１ａ、４１ｂを導電ペーストであるＡｇペーストにより形成して第３層の積層を完了する（図１（９））。このように第３層も第２層と同様に、複数の区分絶縁シート３ａ、３ｂ、３ｃにより構成されている。
【００１９】
この例では、導電パターン４１ａ、４１ｂの最終端が端子部とされ、この端子部は、積層されて形成されたコイル部１０の外壁に導電ペーストを塗布して形成するパターンにより第１層の絶縁シート１における端子パターン１ａ、１ｂ（図１（１））と接続される。図１（１）に示される導電パターン２ａ、２ｂの基端側も端子部とされる。
【００２０】
以上のようにして本発明では、２ターンの１対のチョークコイルが、１個のコイル部１０に備えられた積層型コモンモードチョークコイルが得られる。この積層型コモンモードチョークコイルによれば、ビルドアップしながらコイルの導電パターンを形成するだけでコモンモードチョークコイルを得ることができることから、製造の工数を少なくでき、しかも製造が容易である。また、バイアホールを用いて導電パターンを接続する場合に比べて導電パターンに連続性があり、浮遊容量を小さく抑えることができると共にバイアホールによる場合に比べ安定した接続が得られる。
【００２１】
なお、この例では、２ターンのものを示したが、１ターンでも良い。１ターンとする場合には、図１（５）における導電パターン４１ａ、４１ｂの最終端が図１（９）における導電パターン４１ａ、４１ｂと同様に端子部とされ、この端子部は、積層されて形成されたコイル部（図１（５）のもの）の外壁に導電ペーストを塗布して形成するパターンにより第１層の絶縁シート１における端子パターン１ａ、１ｂと接続される。
【００２２】
また、３ターン以上のコイルを有するようにしても良い。３ターン以上のコイルを有するようにする場合には、上記２ターン目のコイルを形成した工程がターン数に応じて繰り返される。更に、図１の例では、１対のコイルの巻回方向を互いに逆方向としたが、同一の方向としても良い。
【００２３】
図２には、上記のようにして作成されたコイル部１０（２ターンのもの
に限らず、この表記を用いる）を用いた積層型コモンモードチョークコイルの製造手法が示されている。コイル部１０の上側に１または複数枚（ここでは、４枚）のフェライトシート群１１を積層し、また、コイル部１０の下側に１または複数枚（ここでは、４枚）のフェライトシート群１２を積層する。
【００２４】
コイル部１０における端子部１０ａ〜１０ｄに接続するように、コイル部１０の外壁に端子Ｔａ〜Ｔｄを導電ペーストにて形成する。このようにして作成された積層型コモンモードチョークコイルの等価回路を図３に示す。端子Ｔａと端子Ｔｃとの間にコイルＬ１を配し、端子Ｔｂと端子Ｔｄとの間にコイルＬ２を配したコモンモードチョークコイルとなっている。
【００２５】
図４に、図１に示したようにして作成されたコイル部１０を２個用いた積層型コモンモードチョークコイルの製造手法が示されている。２個のコイル部１０の一方を１０Ａ、他方を１０Ｂとする。コイル部１０Ａとコイル部１０Ｂとの間に１または複数枚（ここでは、１枚）のフェライトシート１５を介装する。
【００２６】
コイル部１０Ａの上側に１または複数枚（ここでは、４枚）のフェライトシート群１１を積層し、また、コイル部１０Ｂの下側に１または複数枚（ここでは、４枚）のフェライトシート群１２を積層する。
【００２７】
上記において、フェライトシート群１１及びフェライトシート群１２におけるフェライトシートの透磁率は等しく、同透磁率はフェライトシート１５の透磁率よりも大きい。
【００２８】
コイル部１０Ａ、１０Ｂにおける端子部１０ａ〜１０ｄに接続するように、コイル部１０Ａ、１０Ｂの外壁に端子Ｔａ〜Ｔｄを導電ペーストにて形成する。このようにして作成された積層型コモンモードチョークコイルの等価回路を図５に示す。端子Ｔａと端子Ｔｃとの間にコイルＬ１、Ｌ３を配し、端子Ｔｂと端子Ｔｄとの間にコイルＬ２、Ｌ４を配した２つのコモンモードチョークコイルを組み合わせた構成となっている。
【００２９】
係る構成により、２つのコイル部１０Ａ、１０Ｂを持つ積層型コモンモードチョークコイルを提供できる。また、２つのコイル部１０Ａ、１０Ｂの周波数特性を同じくして、或いは異ならせて所望の積層型コモンモードチョークコイルを得ることができる。
【００３０】
【発明の効果】
以上説明したように本発明によれば、第２層以上の各層における絶縁シートが区分絶縁シートにより構成され、２つの層における導電パターンを接続する場合に、上位層の側壁に導電パターンを設けて対応するので、バイアホールの形成等の工程が不要となり工数の削減を図り得ると共に、導電パターンの接続性を適切に確保でき、浮遊容量を低減したコモンモードチョークコイルを得ることができる効果がある。
【図面の簡単な説明】
【図１】本発明に係る積層型コモンモードチョークコイルの要部の製造工程を示す斜視図。
【図２】図１に示す要部であるコイル部を１個用いて構成した積層型コモンモードチョークコイルの製造工程を示す斜視図。
【図３】図２の製造工程を用いて得られた積層型コモンモードチョークコイルの等価回路を示す図。
【図４】図１に示す要部であるコイル部を２個用いて構成した積層型コモンモードチョークコイルの製造工程を示す斜視図。
【図５】図４の製造工程を用いて得られた積層型コモンモードチョークコイルの等価回路を示す図。
【符号の説明】
１  絶縁シート
１ａ、１ｂ  端子パターン
２ａ、２ｂ  導電パターン
３ａ  第１の区分絶縁シート
３ｂ、３ｃ  第２の区分絶縁シート
４ａ、４ｂ  導電パターン
１０、１０Ａ、１０Ｂ  コイル部
１０ａ〜１０ｄ  端子部
１１、１２  フェライトシート群
１５  フェライトシート
３１ａ、３１ｂ  側壁
４１ａ、４１ｂ  導電パターン
【図１】
2004179396.tif 000003
【図２】
2004179396.tif 000004
【図３】
2004179396.tif 000005
【図４】
2004179396.tif 000006
【図５】
2004179396.tif 000007